(57)【要約】【課題】屋内側及び躯対等に水が浸入しにくく、縦骨を下枠に強固に固定することが可能な建具を提供する。【解決手段】屋内外を連通する開口に設けられる下枠と、前記下枠に固定される縦骨とを有する建具であって、前記下枠は、上方に開放された開放部を有する凹部を備え、前記凹部を形成する屋外側の部位に、見込み方向に貫通する固定具にて屋外側から固定される固定部材、を有し、前記縦骨は、前記固定部材を介して前記下枠に固定される。【選択図】図５
2008248533.tif 000002
【特許請求の範囲】
【請求項１】
屋内外を連通する開口に設けられる下枠と、前記下枠に固定される縦骨とを有する建具であって、
前記下枠は、上方に開放された開放部を有する凹部を備え、
前記凹部を形成する屋外側の部位に、見込み方向に貫通する固定具にて屋外側から固定される固定部材、を有し、
前記縦骨は、前記固定部材を介して前記下枠に固定されることを特徴する建具。
【請求項２】
請求項１に記載の建具であって、
前記開放部は、前記下枠の前記凹部を形成する屋内側壁部の上部から屋外側に向かって延出された屋内側延出部と、前記下枠の前記凹部を形成する屋外側壁部の上部から屋内側に向かって延出された屋外側延出部と、の間に形成されており、
前記固定部材は、前記凹部に収容されて前記屋外側壁部に固定される下枠固定部材と、前記屋内側延出部と前記屋外側延出部との上に跨って配置され前記縦骨が固定される縦骨固定部材とを有し、
前記縦骨固定部材は、前記屋内側延出部及び前記屋外側延出部を挟持して前記下枠固定部材に固定されることを特徴とする建具。
【請求項３】
請求項２に記載の建具であって、
前記下枠固定部材は、前記開放部側に臨み前記縦骨固定部材が固定される座部と、
前記凹部内に収容された際に、前記座部を前記屋内側延出部及び前記屋外側延出部の下面に近接させて配置させるための脚部と、
を有することを特徴とする建具。
【請求項４】
請求項３に記載の建具であって、
前記脚部は、前記座部の屋内側の縁部及び屋外側の縁部からそれぞれ垂設されており、前記下枠固定部材が前記凹部内に収容された際に、屋外側の前記脚部が前記屋外側壁部と、屋内側の前記脚部が前記屋内側壁部と近接した位置にて、それぞれ対面されることにより、前記下枠固定部材の見込み方向における位置が規制されることを特徴とする建具。
【請求項５】
請求項３または請求項４に記載の建具であって、
前記座部は、上方に突出して前記開放部に入り込む隆起部を有し、
前記隆起部の頂面は、前記屋内側延出部及び前記屋外側延出部の上面より低いことを特徴とする建具。
【発明の詳細な説明】
【技術分野】
【０００１】
本発明は、屋内外を連通する開口に設けられた下枠に縦骨が固定される建具に関する。
【背景技術】
【０００２】
屋内外を連通する開口に設けられた下枠に固定される縦骨は、下枠が有する水平な部位に載置され、下枠の下方からビスを螺合させて固定されたり、見付け方向に貫通孔を備えた縦骨の下端部を下枠の凹部に上方から挿入し、縦骨の脇の凹部を覆う蓋板の端部に設けられた係止部材を、蓋板を取り付ける際に縦骨の貫通孔に嵌合して下枠に取り付けられている（例えば、特許文献１参照）。
【特許文献１】実公平２−７１７６号公報
【発明の開示】
【発明が解決しようとする課題】
【０００３】
しかしながら、縦骨を下枠の下方からビスを螺合させて固定する場合には、ビス孔が上下方向に連通するように下枠に形成されるため、水密性に欠け屋内や躯体側に水が浸入する畏れがある。また、蓋板に設けられた係止部材を縦骨の貫通孔に嵌合させて取り付けるだけでは、十分な強度が得られない畏れがあるという課題がある。
【０００４】
本発明は、かかる課題に鑑みてなされたものであり、その目的とするところは、屋内側及び躯対等に水が浸入しにくく、縦骨を下枠に強固に固定することが可能な建具を提供することにある。
【課題を解決するための手段】
【０００５】
かかる目的を達成するために本発明の建具は、屋内外を連通する開口に設けられる下枠と、前記下枠に固定される縦骨とを有する建具であって、前記下枠は、上方に開放された開放部を有する凹部を備え、前記凹部を形成する屋外側の部位に、見込み方向に貫通する固定具にて屋外側から固定される固定部材、を有し、前記縦骨は、前記固定部材を介して前記下枠に固定されることを特徴する建具である。  
このような建具によれば、縦骨は下枠を貫通する固定具にて固定される固定部材を介して下枠に固定されているので、縦骨を下枠に強固に固定することが可能である。また、固定部材は、下枠の凹部を形成する屋外側の部位に見込み方向に貫通する固定具にて固定されているので、固定具が貫通するための孔から躯体や屋内側への水の浸入を抑えることが可能である。よって、縦骨を下枠に強固に固定しつつ、屋内側及び躯対等に水が浸入しにくい建具を提供することが可能である。
【０００６】
かかる建具であって、前記開放部は、前記下枠の前記凹部を形成する屋内側壁部の上部から屋外側に向かって延出された屋内側延出部と、前記下枠の前記凹部を形成する屋外側壁部の上部から屋内側に向かって延出された屋外側延出部と、の間に形成されており、前記固定部材は、前記凹部に収容されて前記屋外側壁部に固定される下枠固定部材と、前記屋内側延出部と前記屋外側延出部との上に跨って配置され前記縦骨が固定される縦骨固定部材とを有し、前記縦骨固定部材は、前記屋内側延出部及び前記屋外側延出部を挟持して前記下枠固定部材に固定されることが望ましい。  
このような建具によれば、縦骨が固定される縦骨固定部材は、下枠に収容される下枠固定部材に、屋内側延出部と屋外側延出部とを挟持して固定されるので、縦骨固定部材が下枠固定部材に固定されると、凹部を形成する屋内側壁部と屋外側壁部とが繋がって、下枠があたかも中空構造体のような強度を有する。このため、縦骨固定部材と下枠固定部材とから構成される固定部材により縦骨をより強固に下枠に固定することが可能である。
【０００７】
かかる建具であって、前記下枠固定部材は、前記開放部側に臨み前記縦骨固定部材が固定される座部と、前記凹部内に収容された際に、前記座部を前記屋内側延出部及び前記屋外側延出部の下面に近接させて配置させるための脚部と、を有することが望ましい。  
このような建具によれば、凹部に収容される下枠固定部材が脚部を有しているので、下枠固定部材を凹部内に収容させるだけで縦骨固定部材が固定される座部を屋内側延出部及び屋外側延出部の下面に近接させて配置させることが可能である。このため、下枠固定部材を固定する際に、下枠固定部材を支えることなく、座部を屋内側延出部及び屋外側延出部の下面の直ぐ下に配置させることが可能であり、縦骨固定部材を固定しやすい構成とすることが可能である。
【０００８】
かかる建具であって、前記脚部は、前記座部の屋内側の縁部及び屋外側の縁部からそれぞれ垂設されており、前記下枠固定部材が前記凹部内に収容された際に、屋外側の前記脚部が前記屋外側壁部と、屋内側の前記脚部が前記屋内側壁部と近接した位置にて、それぞれ対面されることにより、前記下枠固定部材の見込み方向における位置が規制されることが望ましい。  
このような建具によれば、下枠固定部材を凹部内に収容させるだけで、下枠固定部材の座部の屋内側及び屋外側の縁部からそれぞれ垂設された脚部を、屋外側壁部及び屋内側壁部と近接させて配置させることが可能である。このため、下枠固定部材を凹部内に収容させるだけ見込み方向に位置決めして配置することが可能である。
【０００９】
かかる建具であって、前記座部は、上方に突出して前記開放部に入り込む隆起部を有し、前記隆起部の頂面は、前記屋内側延出部及び前記屋外側延出部の上面より低いことが望ましい。  
このような建具によれば、座部から上方に突出して開放部に入り込む隆起部の頂面が屋内側延出部及び屋外側延出部の上面より低いので、縦骨固定部材を下枠固定部材に固定すると、縦骨固定部材と下枠固定部材との間に介在されている屋内側延出部及び屋外側延出部がより強固に挟持されることになる。このため、下枠固定部材と縦骨固定部材とをより強固に固定することが可能である。また、下枠固定部材に対して縦骨固定部材を固定する際に、屋内側延出部及び屋外側延出部に過度の力が作用して変形することがあっても、座部における隆起部の頂面が縦骨固定部材の下面に当接することで、屋内側延出部及び屋外側延出部の変形量を抑えることができる。
【発明の効果】
【００１０】
本発明によれば、屋内側及び躯対等に水が浸入しにくく、縦骨を下枠に強固に固定することが可能な建具を提供することが可能である。
【発明を実施するための最良の形態】
【００１１】
以下、本発明の一実施形態に係る建具について図面を参照して説明する。  
本実施形態は、図１に示すような、建物の開口を部分的に閉塞し、ガラス３が嵌め付けられたＦＩＸ窓１０と、ＦＩＸ窓１０にて閉塞されない部分を閉塞可能に設けられた移動可能な障子５とを備えた建具としての窓ユニット１を例に挙げて説明する。以下の説明においては、窓ユニット１を屋外側から見たときに上下となる方向を上下方向、左右となる方向を左右方向または見付け方向、屋内外方向（奥行き方向）を見込み方向として示す。
【００１２】
本実施形態のＦＩＸ窓１０は、図１および図２に示すように、例えば屋内外を連通する開口に設けられた矩形状の枠体１１、ＦＩＸ窓１０にて閉塞される閉塞空間と障子５により閉塞される開閉空間とを仕切るための縦骨１７とに取り付けられる面材としてのガラス３、枠体１１および縦骨１７とともにガラス３を挟み、ガラス３の屋外側からガラス３を押さえるための押縁２０、を有している。本実施形態のガラスは、２枚のガラス板の周縁間にスペーサや封着剤を介在させて、互いに間隔を隔てて対面させた２層構造のガラス３を用いている。
【００１３】
本実施形態では、枠体１１を構成する上枠１２、下枠１３、左右の縦枠１４、１５のうち、上枠１２、下枠１３、左側に位置する縦枠（以下、左縦枠という）１４、および、上枠１２と下枠１３との間に設けられた縦骨１７と４つの押縁２０とにてガラス３が保持されてＦＩＸ窓１０が構成されている。そして、枠体１１の見込み方向においてほぼ中央より屋外側の領域にＦＩＸ窓１０が設けられ、ほぼ中央より屋内側の領域は障子５が移動可能な領域となっている。
【００１４】
ＦＩＸ窓１０を構成する縦骨１７は、枠体１１の見込み方向中央より屋外側の領域であって、下枠１３が有する水平面１３ａ上に立設されている。
【００１５】
下枠１３はアルミニウム製の押出成形部材であり、図３乃至図５に示すように縦骨１７が立設されている下枠１３の水平面１３ａには、見付け方向に沿ってスリット１３ｂが設けられており、スリット１３ｂの下方には溝状の凹部１３ｃが形成されている。
【００１６】
具体的には、凹部１３ｃは、溝の底をなし見付け方向に沿う底部１３ｄと、底部１３ｄの見込み方向における屋外側及び屋内側の縁部から上方に立設された屋外側壁部１３ｅ及び屋内側壁部１３ｆとを有している。屋外側壁部１３ｅの上端縁には屋内側に向かって延出された屋外側延出部１３ｇが、また、屋内側壁部１３ｆの上端縁には屋外側に向かって延出された屋内側延出部１３ｈが形成されている。そして、屋外側延出部１３ｇと屋内側延出部１３ｈとの上面が、縦骨１７が立設される水平面１３ａであり、屋外側延出部１３ｇの屋内側の縁部と屋内側延出部１３ｈの屋外側の縁部とによって形成されるスリット１３ｂが、凹部１３ｃの上方に開放された開放部である。
【００１７】
下枠１３の、縦骨１７が取り付けられる部位は、下側の押縁２０を嵌合するために上方に突出している爪部１３ｉが切り欠かれ、下側の押縁２０とともにガラス３を挟持するガラス保持部材１８が分断されている。また、スリット１３ｂの見込み方向の幅が一部、屋外側延出部１３ｇから屋内側延出部１３ｈの領域まで広げられた拡幅部１３ｊが設けられている。
【００１８】
縦骨１７は上下方向に連通する中空部１７ａを有するアルミニウム製の押出成形部材であり、中空部１７ａを形成する左側部１７ｂの下端には、縦骨１７を後述する固定部材３０に固定するためのねじが貫通される貫通孔１７ｃが設けられている。
【００１９】
縦骨１７は、下枠１３の凹部１３ｃに見付け方向の端部側から挿入される下枠固定部材３２と、下枠１３の水平面１３ａ上に配置され下枠固定部材３２に固定される縦骨固定部材３４と、からなる固定部材３０により下枠１３に固定されている。また、縦骨１７が下枠１３に固定された状態では、拡幅部１３ｊに、見付け方向に連通する凹部１３ｃを見付け方向に遮断するためのスポンジ３６が下枠固定部材３２と隣接させて設けられている。さらに、下枠１３の水平面１３ａ上には、スポンジ３６と下枠固定部材３２とに跨るように配置され縦骨１７の下端が当接される止水シート３７が設けられている。
【００２０】
下枠固定部材３２は、スリット１３ｂ側に臨み縦骨固定部材３４が固定される座部３２ａと、座部３２ａの屋外側の縁部及び屋内側の縁部からそれぞれ垂設された脚部３２ｂ、３２ｃとを有している。座部３２ａは、見込み方向の幅が、凹部１３ｃの屋外側壁部１３ｅと屋内側壁部１３ｆとの間隔より僅かに小さく形成され、見込み方向の中央部に上方に突出した隆起部３２ｄが形成されている。隆起部３２ｄには縦骨固定部材３４を固定するためのねじ穴３２ｈが形成されている。隆起部３２ｄの見込み方向の幅は、スリット１３ｂの見込み方向の幅より僅かに小さく形成されている。このため、下枠固定部材３２が凹部１３ｃ内に収容された際には、屋外側の脚部３２ｂが屋外側壁部１３ｅと、屋内側の脚部３２ｃが屋内側壁部１３ｆとそれぞれ近接した位置にて対面される。また、脚部３２ｂ、３２ｃは、凹部１３ｃの底部１３ｄと屋外側延出部１３ｇ及び屋内側延出部１３ｈの下面との間隔より僅かに小さく形成されており、下枠固定部材３２が凹部１３ｃ内に収容された際に、座部３２ａの上面が屋外側延出部１３ｇ及び屋内側延出部１３ｈの下面に近接され、隆起部３２ｄがスリット１３ｂに入り込むように構成されている。
【００２１】
このため、下枠固定部材３２を下枠１３の見付け方向の端部側から凹部１３ｃに挿入する際には、屋外側の脚部３２ｂと屋内側の脚部３２ｃとが屋外側壁部１３ｅと屋内側壁部１３ｆとの間に配置されることにより見込みが位置決めされ、屋外側及び屋内側の脚部３２ｂ、３２ｃが凹部１３ｃの底部１３ｄと屋外側延出部１３ｇ及び屋内側延出部１３ｈの下面との間に配置されることにより、上下方向が位置決めされる。すなわち、下枠固定部材３２が凹部１３ｃに挿入された状態で、座部３２ａの上面が屋外側延出部１３ｇ及び屋内側延出部１３ｈの下面と近接するとともに、座部３２ａ上面の隆起部３２ｄがスリット１３ｂに入り込む。このとき、隆起部３２ｄの頂面３２ｅは、屋外側延出部１３ｇ及び屋内側延出部１３ｈの上面より僅かに低くなるように（下方に没するように）隆起部３２ｄは形成されている。そして、下枠固定部材３２の右端３２ｆを拡幅部１３ｊの左側の縁部１３ｋに位置させることにより、下枠１３の屋外側壁部１３ｅに設けられた貫通孔１３ｌと、下枠固定部材３２の屋外側の脚部３２ｂに設けられたねじ穴３２ｇとの位置がほぼ一致する。このため、下枠固定部材３２を、右端３２ｆが拡幅部１３ｊの左側の縁部１３ｋに位置するように配置させることにより、下枠固定部材３２を下枠１３に屋外側から容易にねじ止めすることが可能である。
【００２２】
縦骨固定部材３４は、スリット１３ｂを挟んで屋外側延出部１３ｇと屋内側延出部１３ｈに架け渡されるように配置される平板状の基部３４ａと、基部３４ａの右端から上方に向かって設けられた板状の固定板部３４ｂと、固定板部３４ｂの上端にて見付け方向において基部３４ａとは反対側に延設された延設部３４ｃとを有している。基部３４ａには、下枠固定部材３２の隆起部３２ｄに設けられたねじ穴３２ｈに螺合されるねじが貫通される貫通孔３４ｄが、また、固定板部３４ｂには、縦骨１７を固定するためのねじが螺合されるねじ穴３４ｅが形成されている。
【００２３】
下枠１３に縦骨１７を固定する際には、まず、下枠１３の凹部１３ｃに見付け方向の端部から下枠固定部材３２を挿入して収容させておく。この状態で、下枠固定部材３２の座部３２ａの上面が屋外側延出部１３ｇ及び屋内側延出部１３ｈの下面と近接し、座部３２ａ上面の隆起部３２ｄがスリット１３ｂに入り込んでいる。
【００２４】
そして、下枠固定部材３２を、その右端３２ｆと拡幅部１３ｊの左側の縁部１３ｋとが揃う位置に配置する。このとき、屋外側壁部１３ｅに設けられた貫通孔１３ｌと屋外側の脚部３２ｂに設けられたねじ穴３２ｇとが見込み方向に重なっている。そして、屋外側壁部１３ｅを貫通する固定具としてのねじ２５を、貫通孔１３ｌを貫通させるとともにねじ穴３２ｇに螺合して、下枠１３に下枠固定部材３２を固定する。  
下枠１３に下枠固定部材３２を固定した後に、下枠１３の拡幅部１３ｊからスポンジ３６を凹部１３ｃ内に挿入し、下枠固定部材３２と隣接させてスポンジ３６を配置する。
【００２５】
次に、縦骨固定部材３４の基部３４ａが下枠固定部材３２の上方にて屋外側延出部１３ｇと屋内側延出部１３ｈに架け渡されるように縦骨固定部材３４を配置し、上方から基部３４ａの貫通孔３４ｄを貫通させたねじを下枠固定部材３２の隆起部３２ｄに設けられたねじ穴３２ｈに螺合して縦骨固定部材３４を下枠固定部材３２に固定する。このとき、屋外側延出部１３ｇ及び屋内側延出部１３ｈ上に載置された基部３４ａの下面と隆起部３２ｄの頂面との間には僅かに間隙が設けられているが、ねじを締め込むことにより基部３４ａの下面と隆起部３２ｄの頂面との間隔が狭くなるように力が作用する。このため、縦骨固定部材３４と下枠固定部材３２との間に配置されている屋外側延出部１３ｇ及び屋内側延出部１３ｈは、縦骨固定部材３４と下枠固定部材３２とに挟持され、下枠１３、下枠固定部材３２、縦骨固定部材３４とが強固に固定される。特に、下枠１３は単体の状態では凹部１３ｃがスリット１３ｂを備え上方に開放された形状であり、大きな力が作用した場合には屋外側壁部１３ｅ及び屋内側壁部１３ｆが変形する畏れがあるが、屋外側延出部１３ｇ及び屋内側延出部１３ｈが縦骨固定部材３４と下枠固定部材３２とに挟持されることにより、開放部が連結されて中空部材と同様の剛性を備えるようになる。また、下枠固定部材３２に対して縦骨固定部材３４を固定する際に、屋内側延出部１３ｈ及び屋外側延出部１３ｇに過度の力が作用して変形することがあっても、座部３２ａにおける隆起部３２ｄの頂面３２ｅが縦骨固定部材３４の下面に当接することで、屋内側延出部１３ｈ及び屋外側延出部１３ｇの変形量を抑えることができる。
【００２６】
その後、下枠固定部材３２の縦骨固定部材３４と重なっていない部位とスポンジ３６との上に止水シート３７を配置する。ここで止水シート３７は、ほぼ縦骨１７水平断面と重なるような形状に形成されている。
【００２７】
配置された止水シート３７上に縦骨１７を載置する。このとき、既に固定されている縦骨固定部材３４の固定板部３４ｂ及び延設部３４ｃが縦骨１７の中空部１７ａ内に入るように縦骨１７を止水シート３７上に上方から載置する。また、縦骨固定部材３４の固定板部３４ｂにおける見付け方向左側の面（延設部３４ｃの突出方向とは逆方向側の面）を、縦骨１７の左側部１７ｂの内面に当接させる。そして、見付け方向左側から左側部１７ｂの貫通孔１７ｃを貫通させたねじを縦骨固定部材３４の固定板部３４ｂに設けられたねじ穴３４ｅに螺合して縦骨１７を縦骨固定部材３４に固定することにより、下枠１３に縦骨１７が強固に固定される。
【００２８】
このような窓ユニット１によれば、縦骨１７が固定される縦骨固定部材３４は、下枠１３に収容される下枠固定部材３２に、屋外側延出部１３ｇと屋内側延出部１３ｈとを挟持して固定されるので、縦骨固定部材３４が下枠固定部材３２に固定されると、凹部１３ｃを形成する屋内側壁部１３ｆと屋外側壁部１３ｅとが繋がって、あたかも中空構造体のように剛性が高まる。特に、座部３２ａから上方に突出してスリット１３ｂに入り込む隆起部３２ｄの頂面３２ｅが屋内側延出部１３ｈ及び屋外側延出部１３ｇの上面より低いので、縦骨固定部材３４を下枠固定部材３２に固定すると、縦骨固定部材３４と下枠固定部材３２との間に介在されている屋内側延出部１３ｈ及び屋外側延出部１３ｇがより強固に挟持されることになる。このため、下枠１３と下枠固定部材３２及び縦骨固定部材３４とがより強固に固定され、縦骨固定部材３４に固定される縦骨１７をより強固に固定することが可能である。このため、縦骨固定部材３４と下枠固定部材３２とから構成される固定部材３０により縦骨１７をより強固に下枠１３に固定することが可能である。
【００２９】
また、固定部材３０は、下枠１３の凹部１３ｃを形成する屋外側壁部１３ｅのみに見込み方向に貫通するねじ２５にて固定されているので、下枠１３を貫通するねじ２５にて固定するため貫通孔１３ｌは凹部１３ｃを形成する屋外側壁部１３ｅのみに形成されているので、貫通孔１３ｌから躯体や屋内側への水の浸入を抑えることが可能である。このため、縦骨１７を下枠１３に強固に固定しつつ、屋内側及び躯対等に水が浸入しにくい窓ユニット１を提供することが可能である。本実施形態においては、固定部材３０を下枠１３に固定するためのねじ２５が下枠１３を貫通する部位を屋外側壁部１３ｅのみとした例について説明したが、ねじを貫通させる部位は例えば屋外側延出部１３ｇ及び屋内側延出部１３ｈ等、貫通孔を形成した際に、形成した貫通孔により屋内側及び躯体側等建物の内方側と連通されない部位であればこの限りではない。
【００３０】
また、凹部１３ｃに収容される下枠固定部材３２が脚部３２ｂ、３２ｃを有しているので、下枠固定部材３２を凹部１３ｃ内に収容させるだけで縦骨固定部材３４が固定される座部３２ａを屋外側延出部１３ｇ及び屋内側延出部１３ｈの下面に近接させて配置させることが可能である。このため、下枠固定部材３２を固定する際に、下枠固定部材３２を支えることなく、屋外側延出部１３ｇ及び屋内側延出部１３ｈの下面の直ぐ下に配置させることが可能であり、縦骨固定部材３４を固定しやすい構成とすることが可能である。
【００３１】
さらに、下枠固定部材３２を凹部１３ｃ内に収容させるだけで、下枠固定部材３２の脚部３２ｂ、３２ｃを屋外側壁部１３ｅ及び屋内側壁部１３ｆと近接させて、下枠固定部材３２を配置させることが可能である。このため、下枠固定部材３２を凹部１３ｃ内に収容させるだけ見込み方向に位置決めして下枠固定部材３２を配置することが可能である。
【００３２】
本実施形態においては、固定部材３０を下枠固定部材３２と縦骨固定部材３４との二つの部材にて構成したが、下枠固定部材３２の右端に固定板部３４ｂ相当の部位を設けて一部材にて構成しても良い。
【００３３】
本実施形態においては、下枠１３に縦骨１７を固定する際には、まず、下枠１３の凹部１３ｃに見付け方向の端部から下枠固定部材３２を挿入して収容させておき、下枠１３に下枠固定部材３２を固定した後に下枠１３の拡幅部１３ｊからスポンジ３６を凹部１３ｃ内に挿入し、下枠固定部材３２と隣接させてスポンジ３６を配置したが、これに限ることなく、下枠１３の拡幅部１３ｊからスポンジ３６を凹部１３ｃ内に挿入してスポンジ３６を配置した後、下枠１３の凹部１３ｃに見付け方向の端部から下枠固定部材３２を挿入してスポンジ３６と隣接させて収容させてから下枠固定部材３２を下枠１３に対して固定してもよい。このような場合、下枠１３に取り付けたスポンジ３６に下枠固定部材３２を当接するだけで下枠固定部材３２の左右方向（見付け方向）の位置決めが簡単にできるため、スポンジ３６に下枠固定部材３２を当接した後に下枠固定部材３２を下枠１３に対して固定すればよい。
【００３４】
また、本実施形態においては、ガラスを複層のガラスとしたが、これに限るものではなく、また、面材をガラスとしたが、面材はガラスに限るものではない。
【００３５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３６】
【図１】本実施形態に係る窓ユニットを屋外側からみた外観図である。
【図２】窓ユニットの縦断面図である。
【図３】下枠に縦骨を固定する構造を説明するための斜視図である。
【図４】下枠に固定部材が固定された状態を説明するための斜視図である。
【図５】下枠に縦骨が固定された状態を説明するための側面図である。
【符号の説明】
【００３７】
１  窓ユニット、１３  下枠、１３ｂ  スリット、１３ｃ  凹部、１３ｅ  屋外側壁部
１３ｆ  屋内側壁部、１３ｇ  屋外側延出部、１３ｈ  屋内側延出部、１７  縦骨、
２５  ねじ、３０  固定部材、３２  下枠固定部材、３２ａ  座部、３２ｂ  脚部、
３２ｃ  脚部、３２ｄ  隆起部、３２ｅ  頂面、３４  縦骨固定部材
【図１】
2008248533.tif 000003
【図２】
2008248533.tif 000004
【図３】
2008248533.tif 000005
【図４】
2008248533.tif 000006
【図５】
2008248533.tif 000007